(57)【要約】【課題】省スペース化を図り、レイアウトの自由度を向上させることができる携帯型情報処理装置を提供すること。【解決手段】携帯型情報処理装置１は、タッチパネル１０が設けられた筐体２０と、筐体２０内に設けられ、筐体２０内に配置される各種部品を支持するフレーム部材４０と、を備え、フレーム部材４０は、タッチパネル１０に接触した接触部４１と、接触部４１の近傍に形成され、タッチパネル１０に対して入力操作が行われた際に振動を発生させる振動発生器５１が配置された振動部４２と、を有する。【選択図】図２
2017138828.tif 000002
【特許請求の範囲】
【請求項１】
タッチパネルが設けられた筐体と、
前記筐体内に設けられ、前記筐体内に配置される各種部品を支持するフレーム部材と、
を備え、
前記フレーム部材は、
前記タッチパネルに接触した接触部と、
前記接触部の近傍に形成され、前記タッチパネルに対して入力操作が行われた際に振動を発生させる振動発生器が配置された振動部と、
を有することを特徴とする携帯型情報処理装置。
【請求項２】
前記フレーム部材は、前記振動部の近傍に形成され、前記振動部の振動に伴って前記タッチパネルの裏面側を叩打する叩打部を有することを特徴とする請求項１に記載の携帯型情報処理装置。
【請求項３】
前記振動発生器は、圧電素子であることを特徴とする請求項１または請求項２に記載の携帯型情報処理装置。
【請求項４】
前記振動発生器は、前記タッチパネルに対する第１の入力操作に対して、継続的な振動を発生させる第１振動発生器であり、
前記タッチパネルに対する第２の入力操作に対して、単発的な振動を発生させる第２振動発生器をさらに備えることを特徴とする請求項１または請求項２に記載の携帯型情報処理装置。
【請求項５】
前記第１振動発生器は、圧電素子または偏心モータであり、
前記第２振動発生器は、形状記憶合金を用いたアクチュエータであることを特徴とする請求項４に記載の携帯型情報処理装置。
【請求項６】
前記第１の入力操作は、前記タッチパネルに対するジェスチャー操作であり、
前記第２の入力操作は、前記タッチパネルに表示されたソフトウェアキーボードに対するキーボード入力であることを特徴とする請求項４または請求項５に記載の携帯型情報処理装置。
【請求項７】
前記タッチパネルと前記筐体との間に設けられた粘着部材を備え、
前記粘着部材は、前記タッチパネル側と前記筐体側とにそれぞれ粘着層を有し、かつ２つの粘着層の間に緩衝層を有することを特徴とする請求項１から請求項６のいずれか一項に記載の携帯型情報処理装置。
【請求項８】
タッチパネルが設けられた筐体と、
前記タッチパネルに対して入力操作が行われた際に振動を発生させる振動発生器と、
前記タッチパネルと前記筐体との間に設けられた粘着部材と、
を備え、
前記粘着部材は、前記タッチパネル側と前記筐体側とにそれぞれ粘着層を有し、かつ２つの粘着層の間に緩衝層を有することを特徴とする携帯型情報処理装置。
【発明の詳細な説明】
【技術分野】
【０００１】
本発明は、携帯型情報処理装置に関する。
【背景技術】
【０００２】
近年、タッチパネルを備えた携帯型情報処理装置では、ユーザがタッチパネルに触れた場合に振動発生器を振動させることによりユーザに触覚で伝えるフィードバック技術（ＨＡＰＴＩＣＳ技術）が注目されている（例えば特許文献１参照）。振動発生器としては、例えば、形状記憶合金を用いたアクチュエータ（SIA：Shape memory alloy Impact Actuator）、圧電素子（ピエゾ素子）を用いたアクチュエータ（PVA：Piezo Vibration Actuator）、偏心モータ（ERM：Eccentric Rotating Mass）、リニア・バイブレータ（LRA：Linear Resonant Actuator）等が挙げられる。
【先行技術文献】
【特許文献】
【０００３】
【特許文献１】特開２０１２−８３８４０号公報
【発明の概要】
【発明が解決しようとする課題】
【０００４】
ここで、従来の携帯型情報処理装置では、振動発生器として、例えば図１０に示すような構成のＰＶＡ１５０を外部から購入し、筐体内に配置していた。しかしながら、同図に示すような一般的なＰＶＡ１５０はサイズが大きく、省スペース化を図る上で問題があった。なお、同図に示すＰＶＡ１５０は、基板１５１に貼り付けられた圧電素子１５２と、基板１５１に固定された錘１５３と、基板１５１を支持する台座１５４と、これらを覆うケース１５５と、を備えている。
【０００５】
本発明は、上記に鑑みてなされたものであって、省スペース化を図り、レイアウトの自由度を向上させることができる携帯型情報処理装置を提供することを目的とする。
【課題を解決するための手段】
【０００６】
上述した課題を解決し、目的を達成するために、本発明に係る携帯型情報処理装置は、タッチパネルが設けられた筐体と、前記筐体内に設けられ、前記筐体内に配置される各種部品を支持するフレーム部材と、を備え、前記フレーム部材は、前記タッチパネルに接触した接触部と、前記接触部の近傍に形成され、前記タッチパネルに対して入力操作が行われた際に振動を発生させる振動発生器が配置された振動部と、を有することを特徴とする。
【０００７】
また、本発明に係る携帯型情報処理装置は、前記フレーム部材は、前記振動部の近傍に形成され、前記振動部の振動に伴って前記タッチパネルの裏面側を叩打する叩打部を有することを特徴とする。
【０００８】
また、本発明に係る携帯型情報処理装置は、前記振動発生器は、圧電素子であることを特徴とする。
【０００９】
また、本発明に係る携帯型情報処理装置は、前記振動発生器は、前記タッチパネルに対する第１の入力操作に対して、継続的な振動を発生させる第１振動発生器であり、前記タッチパネルに対する第２の入力操作に対して、単発的な振動を発生させる第２振動発生器をさらに備えることを特徴とする。
【００１０】
また、本発明に係る携帯型情報処理装置は、前記第１振動発生器は、圧電素子または偏心モータであり、前記第２振動発生器は、形状記憶合金を用いたアクチュエータであることを特徴とする。
【００１１】
また、本発明に係る携帯型情報処理装置は、前記第１の入力操作は、前記タッチパネルに対するジェスチャー操作であり、前記第２の入力操作は、前記タッチパネルに表示されたソフトウェアキーボードに対するキーボード入力であることを特徴とする。
【００１２】
また、本発明に係る携帯型情報処理装置は、前記タッチパネルと前記筐体との間に設けられた粘着部材を備え、前記粘着部材は、前記タッチパネル側と前記筐体側とにそれぞれ粘着層を有し、かつ２つの粘着層の間に緩衝層を有することを特徴とする。
【００１３】
上述した課題を解決し、目的を達成するために、本発明に係る携帯型情報処理装置は、タッチパネルが設けられた筐体と、前記タッチパネルに対して入力操作が行われた際に振動を発生させる振動発生器と、前記タッチパネルと前記筐体との間に設けられた粘着部材と、を備え、前記粘着部材は、前記タッチパネル側と前記筐体側とにそれぞれ粘着層を有し、かつ２つの粘着層の間に緩衝層を有することを特徴とする。
【発明の効果】
【００１４】
本発明に係る携帯型情報処理装置によれば、筐体内に設けられたフレーム部材を、振動を発生させるアクチュエータの一部として用いることにより、筐体内の省スペース化を図り、レイアウトの自由度を向上させることができる。また、本発明に係る携帯型情報処理装置によれば、緩衝層を有する粘着部材をタッチパネルと筐体との間に配置することにより、振動発生器による振動の発生時にタッチパネルがいずれの方向にも動きやすくなり、ユーザビリティが向上する。
【図面の簡単な説明】
【００１５】
【図１】図１は、本発明の実施形態に係る携帯型情報処理装置の構成を模式的に示す正面図である。
【図２】図２は、本発明の第１実施形態に係る携帯型情報処理装置の構成を模式的に示す、図１のＡ−Ａ断面図である。
【図３】図３は、本発明の第１実施形態に係る携帯型情報処理装置の構成を模式的に示す分解斜視図である。
【図４】図４は、本発明の第１実施形態に係る携帯型情報処理装置の動作を制御する各種コントローラの構成を模式的に示すブロック図である。
【図５】図５は、本発明の第１実施形態に係る携帯型情報処理装置における枠部材およびフレーム部材の構成を模式的に示す斜視図である。
【図６】図６は、本発明の第１実施形態に係る携帯型情報処理装置におけるフレーム部材の構成を模式的に示す斜視図である。
【図７】図７は、本発明の第２実施形態に係る携帯型情報処理装置の構成を模式的に示す図である。
【図８】図８は、本発明の第２実施形態に係る携帯型情報処理装置において、第１振動発生器を振動させた場合の動作を示す図である。
【図９】図９は、本発明の第２実施形態に係る携帯型情報処理装置において、第２振動発生器を振動させた場合の動作を示す図である。
【図１０】図１０は、一般的なＰＶＡの構成を模式的に示す断面図である。
【発明を実施するための形態】
【００１６】
以下、本発明に係る携帯型情報処理装置について、図面を参照しながら説明する。なお、本発明は以下の実施形態に限定されるものではない。また、以下の実施形態における構成要素には、当業者が置換可能かつ容易なもの、あるいは実質的に同一のものが含まれる。
【００１７】
［第１実施形態］
以下、第１実施形態に係る携帯型情報処理装置について、図１〜図６を参照しながら説明する。本実施形態に係る携帯型情報処理装置１は、例えばタブレット端末であり、図１および図２に示すように、タッチパネル１０と、筐体２０と、フレーム部材４０と、を備えている。なお、以降の説明では、タッチパネル１０の長辺に沿った方向をＸ方向、短辺に沿った方向をＹ方向、タッチパネル１０の入力面（ＸＹ平面）に垂直な方向をＺ方向とする。
【００１８】
タッチパネル１０は、図１および図２に示すように、長方形状に形成され、筐体２０の前面側に配置されている。タッチパネル１０は、具体的には、ＬＣＤ（Liquid  Crystal  Display）と、ＬＣＤ上に配置されたタッチセンサと、タッチセンサ上に配置された保護ガラス等を備えている（図２では図示を省略）。そして、タッチパネル１０は、ＬＣＤに文字、図形、画像等の情報を表示するとともに、ユーザが指、スタイラス、ペン等（以下、指示体という）を用いてタッチセンサに行う各種入力操作を検出する。また、タッチパネル１０におけるタッチセンサは、例えば静電容量方式のタッチセンサであり、指示体の多点検出および面検出が可能となっている。
【００１９】
筐体２０は、図１に示すように全体が長方形状に形成され、例えば合成樹脂、アルミ等で構成されている。筐体２０は、図２および図３に示すように、四角枠状の枠部材２１と、有底箱状の背面カバー２２と、を備えている。枠部材２１には、同図に示すように開口部２１１が形成され、後記するように、フレーム部材４０の一部（接触部４１、叩打部４３）と振動発生器５１とが開口部２１１から露出している。
【００２０】
筐体２０の枠部材２１とタッチパネル１０との間には、図２に示すように粘着部材３０が設けられ、当該粘着部材３０によって両者は固定されている。粘着部材３０としては、例えば一般的な両面テープ等を用いることができるが、後記するように、タッチパネル１０側と筐体２０側とにそれぞれ粘着層３１を有し、かつ２つの粘着層３１の間に緩衝層３２を有する構成のものを用いることが好ましい（後記図７参照）。このような粘着部材３０をタッチパネル１０と筐体２０との間に配置することにより、振動発生器５１による振動の発生時にタッチパネル１０がＸ方向、Ｙ方向およびＺ方向のいずれの方向にも動きやすくなり、ユーザに対して振動を適切かつ効率よく提供することができる。
【００２１】
ここで、図２では図示を省略したが、筐体２０内には、携帯型情報処理装置１の動作を制御する各種コントローラが配置されている。図４は、これら各種コントローラの構成を模式的に示すブロック図である。同図に示すように携帯型情報処理装置１は、メインコントローラ６１と、タッチパネルコントローラ６２と、振動コントローラ６３と、駆動電源６４と、を備えている。
【００２２】
メインコントローラ６１は、携帯型情報処理装置１の全体の動作を制御する。タッチパネルコントローラ６２は、メインコントローラ６１の指示に従って、タッチパネル１０のタッチセンサの検出および駆動を制御するとともに、タッチパネル１０のＬＣＤの表示制御を行う。また、タッチパネルコントローラ６２は、タッチパネル１０のタッチセンサに対するユーザの入力操作（タッチ操作）を検出し、その検出内容をメインコントローラ６１に対して出力する。
【００２３】
振動コントローラ６３は、メインコントローラ６１の指示に従って、振動発生器５１を振動させるための駆動信号を当該振動発生器５１に対して出力する。また、振動コントローラ６３は、駆動電源６４を制御し、振動発生器５１に対して駆動電力を供給する。
【００２４】
本実施形態において、タッチパネルコントローラ６２は、タッチパネル１０に対するユーザの入力操作を検出すると、その検出信号をメインコントローラ６１に対して出力する。そして、メインコントローラ６１は、タッチパネルコントローラ６２から検出信号を受け取ると、タッチパネル１０に対する入力操作が行われたことをユーザに知らせるために、振動発生器５１を振動させるための制御信号を振動コントローラ６３に対して出力する。その際、メインコントローラ６１は、例えば制御信号により振動発生器５１の周期、周波数および振幅を制御する。振動コントローラ６３は、メインコントローラ６１からの制御信号に従って振動発生器５１を振動させることにより、タッチパネル１０を振動させる。これにより、ユーザは、タッチパネル１０に入力操作を行ったことを、タッチパネル１０の振動により認識することが可能となる。
【００２５】
図２に戻って説明を続ける。フレーム部材４０は、筐体２０内に配置される各種部品を支持するとともに、システム全体の強度を高めるためのものである。フレーム部材４０は、図２および図３に示すように、筐体２０内に設けられており、例えばマグネシウム等で構成されている。また、フレーム部材４０は、タッチパネル１０の裏面に接触している接触部４１と、振動発生器５１が配置されている振動部４２と、叩打部４３と、を有している。
【００２６】
接触部４１は、図２、図３、図５および図６に示すように、フレーム部材４０の一部であり、枠部材２１に形成された開口部２１１から、筐体２０の前面側に突出するように形成されている。そして、接触部４１は、タッチパネル１０の裏面と面接触している。これにより、接触部４１は、振動部４２で発生した振動をタッチパネル１０に伝達する。
【００２７】
振動部４２は、図２および図６に示すように、フレーム部材４０の一部であり、接触部４１の近傍において、当該接触部４１に連続して形成されている。また、振動部４２は、図２に示すように、接触部４１よりも、筐体２０の裏面側に形成されている。そして、振動部４２の上面には振動発生器５１が配置されている。これにより、振動部４２は、振動発生器５１によって発生した振動に伴って、筐体２０の前面側と背面側とに振り子のように振動する。
【００２８】
叩打部４３は、図２、図３、図５および図６に示すように、フレーム部材４０の一部であり、振動部４２の近傍において、当該振動部４２に連続して形成されている。また、叩打部４３は、図２に示すように、接触部４１および振動部４２よりも厚みが大きく形成されている。これにより、叩打部４３は、振動部４２で発生した振動を増幅するとともに、振動部４２の振動に伴ってタッチパネル１０の裏面側を叩打し、タッチパネル１０に大きな振動を付与する。
【００２９】
なお、接触部４１、振動部４２および叩打部４３は、図６に示すように、フレーム部材４０に形成された開口部４０１から筐体２０の前面側に突出するように形成され、フレーム部材４０の上面４０ａよりも高い位置に形成されている。
【００３０】
振動発生器５１は、タッチパネル１０に対して入力操作が行われた際に振動を発生するものであり、例えば圧電素子で構成される。振動発生器５１は、図２に示すように、両面テープ等の粘着部材（図示省略）によってフレーム部材４０の振動部４２の上面に貼り付けられている。また、振動発生器５１は、図１に示すように、携帯型情報処理装置１を平面視した場合において、筐体２０の一方の短辺側に１つ配置されている。
【００３１】
ここで、従来は、例えば図１０に示すようなＰＶＡ１５０を筐体内に配置して振動発生器として用いていた。一方、本実施形態では、振動発生器５１として圧電素子そのものを用い、当該圧電素子、接触部４１、振動部４２および叩打部４３を一つのアクチュエータとして機能させている。これにより、携帯型情報処理装置１は、タッチパネル１０に対してユーザから入力操作がなされると、振動発生器５１によって振動が発生し、振動部４２が振動する。そして振動部４２の振動が接触部４１に伝達され、当該接触部４１を介してタッチパネル１０が振動する。これにより、携帯型情報処理装置１は、タッチパネル１０に入力操作が行われたことをユーザに認識させることができる。
【００３２】
以上のような構成を備える携帯型情報処理装置１は、筐体２０内に設けられたフレーム部材４０を、振動を発生させるアクチュエータの一部として用いることにより、筐体２０内の省スペース化を図り、レイアウトの自由度を向上させることができる。
【００３３】
［第２実施形態］
以下、第２実施形態に係る携帯型情報処理装置について、図７〜図９を参照しながら説明する。なお、以下の説明では、第１実施形態と同様の構成については説明を省略する。
【００３４】
本実施形態に係る携帯型情報処理装置１Ａは、前記した第１実施形態に係る携帯型情報処理装置１が振動発生器を１つのみ備えているのに対し、図７に示すように、振動発生器を２つ備えていることを特徴としている。すなわち、携帯型情報処理装置１Ａは、同図に示すように、第１振動発生器５１Ａと、第２振動発生器５２と、を備えており、タッチパネル１０に対するユーザの入力操作の内容に応じて、２種類の異なる振動を発生させる。
【００３５】
なお、図７では、タッチパネル１０の具体的構成として、ＬＣＤ１１と、タッチセンサ１２とを図示しているが、タッチセンサ１２上に配置された保護ガラスは図示を省略している。
【００３６】
第１振動発生器５１Ａは、タッチパネル１０に対する第１の入力操作に対して、継続的な振動を発生させるものである。ここで、タッチパネル１０に対する第１の入力操作とは、例えばタッチパネル１０に対する継続的なジェスチャー操作のことであり、具体的には指示体によるスクロール、ドラッグ、パン、フリック、ピンチ、スプレッド、ロングプレス（長押し）、回転等の入力操作が挙げられる。また、継続的な振動とは、周期の短い連続的な振動（バイブレーション）のことを意味している。
【００３７】
第１振動発生器５１Ａとしては、例えば圧電素子を用いることができる。圧電素子は、入力に対するレスポンスは低いものの、バイブレーションのような連続動作が得意であるためである。第１振動発生器５１Ａとして圧電素子を用いる場合、第１実施形態に係る携帯型情報処理装置１と同様に、筐体２０内に接触部４１、振動部４２および叩打部４３を有するフレーム部材４０を配置し、振動部４２に圧電素子を配置した構成（フレーム部材４０をアクチュエータの一部とした構成）とすればよい（図７では図示を省略）。
【００３８】
第２振動発生器５２は、タッチパネル１０に対する第２の入力操作に対して、単発的な振動を発生させるものである。ここで、タッチパネル１０に対する第２の入力操作とは、例えばタッチパネル１０に表示されたソフトウェアキーボードに対するキーボード入力や、タップ、ダブルタップ等のタッチパネル１０に対する単発的なジェスチャー操作のことである。また、単発的な振動とは、振幅の高い一度のみの振動（パルス振動）のことを意味している。
【００３９】
第２振動発生器５２としては、例えば形状記憶合金を用いたアクチュエータ（ＳＩＡ）を用いることができる。ＳＩＡは、バイブレーションのような連続動作は不得意であるものの、入力に対するレスポンスが高いためである。なお、第２振動発生器５２を配置する場所は特に限定されず、例えば第１振動発生器５１Ａの近傍等に配置することができる。
【００４０】
携帯型情報処理装置１Ａにおいて、振動コントローラ６３は、メインコントローラ６１の指示に従って、第１振動発生器５１Ａおよび第２振動発生器５２を振動させるための駆動信号を、第１振動発生器５１Ａおよび第２振動発生器５２に対して出力する。すなわち、振動コントローラ６３は、ユーザによる入力操作の内容に応じて、第１振動発生器５１Ａと第２振動発生器５２のいずれかを振動させる。また、振動コントローラ６３は、駆動電源６４を制御し、第１振動発生器５１Ａおよび第２振動発生器５２に対して駆動電力をそれぞれ供給する。
【００４１】
また、携帯型情報処理装置１Ａは、第１振動発生器５１Ａおよび第２振動発生器５２の振動をタッチパネル１０側に効率よく伝達するために、図７に示すように、緩衝部材１３と、粘着部材３０と、を備えている。緩衝部材１３は、タッチセンサ１２とＬＣＤ１１との間に設けられており、第１振動発生器５１Ａおよび第２振動発生器５２の振動に伴って伸縮するように構成されている。
【００４２】
粘着部材３０は、図７に示すように、タッチパネル１０と筐体２０との間に設けられている。粘着部材３０は、タッチパネル１０側と筐体２０側とにそれぞれ粘着層３１を有し、かつ２つの粘着層３１の間に緩衝層３２を有している。このような緩衝層３２を有する粘着部材３０がタッチパネル１０と筐体２０との間に配置されていることにより、第１振動発生器５１Ａおよび第２振動発生器５２による振動の発生時にタッチパネル１０がＸ方向、Ｙ方向およびＺ方向のいずれの方向にも動きやすくなり、ユーザに対して振動を適切かつ効率よく提供することができる。
【００４３】
携帯型情報処理装置１Ａでは、例えばタッチパネル１０に対してユーザによる継続的な入力操作（第１の入力操作）がなされた場合、タッチパネル１０のタッチセンサ１２からタッチパネルコントローラ６２に対して検出信号Ｓｉｎが入力される。これを受けて、振動コントローラ６３は、メインコントローラ６１の指示に従って、第１振動発生器５１Ａに対して駆動信号Ｓｄ１を出力し、第１振動発生器５１Ａに連続的な振動（バイブレーション）を発生させる。これにより、ユーザは、タッチパネル１０に第１の入力操作を行ったことを認識することが可能となる。
【００４４】
また、携帯型情報処理装置１Ａでは、例えばタッチパネル１０に対してユーザによる単発的な入力操作（第２の入力操作）がなされた場合、タッチパネル１０のタッチセンサ１２からタッチパネルコントローラ６２に対して検出信号Ｓｉｎが入力される。これを受けて、振動コントローラ６３は、メインコントローラ６１の指示に従って、第２振動発生器５２に対して駆動信号Ｓｄ２を出力し、第２振動発生器５２に単発的な振動（パルス振動）を発生させる。これにより、ユーザは、タッチパネル１０に第２の入力操作を行ったことを認識することが可能となる。
【００４５】
以上のような構成を備える携帯型情報処理装置１Ａは、継続的な振動を発生させる第１振動発生器５１Ａと、単発的な振動を発生させる第２振動発生器５２とを備えることにより、ユーザに対して、入力操作の内容に応じた２種類の振動を提供することができ、ユーザビリティを向上させることができる。
【００４６】
以上、本発明に係る携帯型情報処理装置について、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００４７】
例えば、携帯型情報処理装置１における振動発生器５１は、図１に示すように、筐体２０の一方の短辺側に１つ配置されていたが、振動発生器５１の配置場所および個数は特に限定されず、例えば筐体２０の四隅の対角線上に複数配置しても構わない。
【００４８】
また、携帯型情報処理装置１では、振動発生器５１として圧電素子を用いていたが、例えば偏心モータやＳＩＡを用いても構わない。
【００４９】
また、携帯型情報処理装置１におけるフレーム部材４０は、接触部４１、振動部４２および叩打部４３を有していたが、叩打部４３は必ずしも設けなくてもよく、接触部４１および振動部４２のみを有する構成であってもタッチパネル１０を振動させることは十分に可能である。
【００５０】
また、携帯型情報処理装置１Ａでは、第１振動発生器５１Ａとして振動発生器５１と同じ圧電素子を用いていたが、例えば第１振動発生器５１Ａとして、図１０に示すようなＰＶＡ１５０や、偏心モータを用いても構わない。この場合、図２に示すようにフレーム部材４０をアクチュエータの一部としては用いず、筐体２０内に従来の方法でＰＶＡ、偏心モータを配置すればよい。なお、偏心モータは、圧電素子と同様に、入力に対するレスポンスは低いものの、バイブレーションのような連続動作が得意であり、かつ低コストである。
【００５１】
また、携帯型情報処理装置１，１Ａでは、振動発生器５１，５１Ａ，５２によって振動させるオブジェクト（対象）として、タッチパネル１０全体（図２参照）、タッチセンサ１２（図７参照）を一例としてそれぞれ示したが、タッチパネル１０のうちのＬＣＤ１１、タッチセンサ１２および保護ガラスのうち、いずれか１または複数をオブジェクトとしても構わない。
【符号の説明】
【００５２】
１，１Ａ  携帯型情報処理装置
１０  タッチパネル
１１  ＬＣＤ
１２  タッチセンサ
１３  緩衝部材
２０  筐体
２１  枠部材
２１１  開口部
２２  背面カバー
３０  粘着部材
３１  粘着層
３２  緩衝層
４０  フレーム部材
４０ａ  上面
４０１  開口部
４１  接触部
４２  振動部
４３  叩打部
５１  振動発生器
５１Ａ  第１振動発生器
５２  第２振動発生器
６１  メインコントローラ
６２  タッチパネルコントローラ
６３  振動コントローラ
６４  駆動電源
１５０  ＰＶＡ
１５１  基板
１５２  圧電素子
１５３  錘
１５４  台座
１５５  ケース
【図１】
2017138828.tif 000003
【図２】
2017138828.tif 000004
【図３】
2017138828.tif 000005
【図４】
2017138828.tif 000006
【図５】
2017138828.tif 000007
【図６】
2017138828.tif 000008
【図７】
2017138828.tif 000009
【図８】
2017138828.tif 000010
【図９】
2017138828.tif 000011
【図１０】
2017138828.tif 000012
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
タッチパネルが設けられた筐体と、
前記筐体内に設けられ、前記筐体内に配置される各種部品を支持するフレーム部材と、
を備え、
前記フレーム部材は、
前記タッチパネルに接触した接触部と、
前記接触部の近傍に形成され、前記タッチパネルに対して入力操作が行われた際に振動を発生させる振動発生器が配置された振動部と、
を有し、
前記振動発生器は、前記フレーム部材の振動部に貼りつけられていることを特徴とする携帯型情報処理装置。
【請求項２】
前記フレーム部材は、前記振動部の近傍に形成され、前記振動部の振動に伴って前記タッチパネルの裏面側を叩打する叩打部を有することを特徴とする請求項１に記載の携帯型情報処理装置。
【請求項３】
前記振動発生器は、圧電素子であることを特徴とする請求項１または請求項２に記載の携帯型情報処理装置。
【請求項４】
前記振動発生器は、前記タッチパネルに対する第１の入力操作に対して、継続的な振動を発生させる第１振動発生器であり、
前記タッチパネルに対する第２の入力操作に対して、単発的な振動を発生させる第２振動発生器をさらに備えることを特徴とする請求項１または請求項２に記載の携帯型情報処理装置。
【請求項５】
前記第１振動発生器は、圧電素子または偏心モータであり、
前記第２振動発生器は、形状記憶合金を用いたアクチュエータであることを特徴とする請求項４に記載の携帯型情報処理装置。
【請求項６】
前記第１の入力操作は、前記タッチパネルに対するジェスチャー操作であり、
前記第２の入力操作は、前記タッチパネルに表示されたソフトウェアキーボードに対するキーボード入力であることを特徴とする請求項４または請求項５に記載の携帯型情報処理装置。
【請求項７】
前記タッチパネルと前記筐体との間に設けられた粘着部材を備え、
前記粘着部材は、前記タッチパネル側と前記筐体側とにそれぞれ粘着層を有し、かつ２つの粘着層の間に緩衝層を有することを特徴とする請求項１から請求項６のいずれか一項に記載の携帯型情報処理装置。
【請求項８】
タッチパネルが設けられた筐体と、
前記筐体内に設けられ、前記筐体内に配置される各種部品を支持するフレーム部材と、
前記タッチパネルに対して入力操作が行われた際に振動を発生させる振動発生器と、
前記タッチパネルと前記筐体との間に設けられた粘着部材と、
を備え、
前記粘着部材は、前記タッチパネル側と前記筐体側とにそれぞれ粘着層を有し、かつ２つの粘着層の間に緩衝層を有し、
前記振動発生器は、前記フレーム部材に貼りつけられていることを特徴とする携帯型情報処理装置。
【請求項９】
タッチパネルが設けられた筐体と、
前記筐体内に設けられ、前記筐体内に配置される各種部品を支持するフレーム部材と、
を備え、
前記フレーム部材は、
前記タッチパネルに接触した接触部と、
前記接触部の近傍に形成され、前記タッチパネルに対して入力操作が行われた際に振動を発生させる振動発生器が配置された振動部と、
を有し、
前記振動発生器は、前記タッチパネルに対する第１の入力操作に対して、継続的な振動を発生させる第１振動発生器であり、
前記タッチパネルに対する第２の入力操作に対して、単発的な振動を発生させる第２振動発生器をさらに備えることを特徴とする携帯型情報処理装置。
【請求項１０】
タッチパネルが設けられた筐体と、
前記筐体内に設けられ、前記筐体内に配置される各種部品を支持するフレーム部材と、
を備え、
前記フレーム部材は、
前記タッチパネルに接触した接触部と、
前記接触部の近傍に形成され、前記タッチパネルに対して入力操作が行われた際に振動を発生させる振動発生器が配置された振動部と、
前記振動部の近傍に形成され、前記振動部の振動に伴って前記タッチパネルの裏面側を叩打する叩打部と、
を有し、
前記振動発生器は、前記タッチパネルに対する第１の入力操作に対して、継続的な振動を発生させる第１振動発生器であり、
前記タッチパネルに対する第２の入力操作に対して、単発的な振動を発生させる第２振動発生器をさらに備えることを特徴とする携帯型情報処理装置。
【請求項１１】
前記第１振動発生器は、圧電素子または偏心モータであり、
前記第２振動発生器は、形状記憶合金を用いたアクチュエータであることを特徴とする請求項９または請求項１０に記載の携帯型情報処理装置。
【請求項１２】
前記第１の入力操作は、前記タッチパネルに対するジェスチャー操作であり、
前記第２の入力操作は、前記タッチパネルに表示されたソフトウェアキーボードに対するキーボード入力であることを特徴とする請求項９から請求項１１のいずれか一項に記載の携帯型情報処理装置。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
タッチパネルが設けられた筐体と、
前記筐体内に設けられ、前記筐体内に配置される各種部品を支持するフレーム部材と、
を備え、
前記フレーム部材は、
前記タッチパネルに接触した接触部と、
前記接触部の近傍に形成され、前記タッチパネルに対して入力操作が行われた際に振動を発生させる振動発生器が配置された振動部と、
を有し、
前記振動発生器は、前記フレーム部材の振動部に貼りつけられており、
前記振動発生器は、前記タッチパネルに対する第１の入力操作に対して、継続的な振動を発生させる第１振動発生器であり、
前記タッチパネルに対する第２の入力操作に対して、単発的な振動を発生させる第２振動発生器をさらに備えることを特徴とする携帯型情報処理装置。
【請求項２】
前記フレーム部材は、前記振動部の近傍に形成され、前記振動部の振動に伴って前記タッチパネルの裏面側を叩打する叩打部を有することを特徴とする請求項１に記載の携帯型情報処理装置。
【請求項３】
前記振動発生器は、圧電素子であることを特徴とする請求項１または請求項２に記載の携帯型情報処理装置。
【請求項４】
前記第１振動発生器は、圧電素子または偏心モータであり、
前記第２振動発生器は、形状記憶合金を用いたアクチュエータであることを特徴とする請求項１に記載の携帯型情報処理装置。
【請求項５】
前記第１の入力操作は、前記タッチパネルに対するジェスチャー操作であり、
前記第２の入力操作は、前記タッチパネルに表示されたソフトウェアキーボードに対するキーボード入力であることを特徴とする請求項１または請求項４に記載の携帯型情報処理装置。
【請求項６】
前記タッチパネルと前記筐体との間に設けられた粘着部材を備え、
前記粘着部材は、前記タッチパネル側と前記筐体側とにそれぞれ粘着層を有し、かつ２つの粘着層の間に緩衝層を有することを特徴とする請求項１から請求項５のいずれか一項に記載の携帯型情報処理装置。
【請求項７】
タッチパネルが設けられた筐体と、
前記筐体内に設けられ、前記筐体内に配置される各種部品を支持するフレーム部材と、
を備え、
前記フレーム部材は、
前記タッチパネルに接触した接触部と、
前記接触部の近傍に形成され、前記タッチパネルに対して入力操作が行われた際に振動を発生させる振動発生器が配置された振動部と、
を有し、
前記振動発生器は、前記タッチパネルに対する第１の入力操作に対して、継続的な振動を発生させる第１振動発生器であり、
前記タッチパネルに対する第２の入力操作に対して、単発的な振動を発生させる第２振動発生器をさらに備えることを特徴とする携帯型情報処理装置。
【請求項８】
タッチパネルが設けられた筐体と、
前記筐体内に設けられ、前記筐体内に配置される各種部品を支持するフレーム部材と、
を備え、
前記フレーム部材は、
前記タッチパネルに接触した接触部と、
前記接触部の近傍に形成され、前記タッチパネルに対して入力操作が行われた際に振動を発生させる振動発生器が配置された振動部と、
前記振動部の近傍に形成され、前記振動部の振動に伴って前記タッチパネルの裏面側を叩打する叩打部と、
を有し、
前記振動発生器は、前記タッチパネルに対する第１の入力操作に対して、継続的な振動を発生させる第１振動発生器であり、
前記タッチパネルに対する第２の入力操作に対して、単発的な振動を発生させる第２振動発生器をさらに備えることを特徴とする携帯型情報処理装置。
【請求項９】
前記第１振動発生器は、圧電素子または偏心モータであり、
前記第２振動発生器は、形状記憶合金を用いたアクチュエータであることを特徴とする請求項７または請求項８に記載の携帯型情報処理装置。
【請求項１０】
前記第１の入力操作は、前記タッチパネルに対するジェスチャー操作であり、
前記第２の入力操作は、前記タッチパネルに表示されたソフトウェアキーボードに対するキーボード入力であることを特徴とする請求項７から請求項９のいずれか一項に記載の携帯型情報処理装置。